(57)【特許請求の範囲】
【請求項１】
水中に打設されている鉄筋コンクリート床版を切断撤去するための、水中コンクリートの除去装置であって、
頂部が水面上に位置するように高さ設定し、底部に水平調整用ジャッキを備え、頂部及び下部にレールを設置した架構台と、
架構台下部を鉄筋コンクリート床版に固定するアンカーと、
架構台頂部に設置したレール上を移動する移動台車と、架構台下部に設置したレール上を移動する水中台車と、を連結材により連結し、
移動台車には水平移動するための駆動モーターと移動用チェーンとを設け、
移動台車の移動により水中台車も同時に移動し、
水中台車にはウォータージェットカッターを備えたことを特徴とする、
水中コンクリートの除去装置。
【請求項２】
請求項１に記載の水中コンクリートの除去装置を使用して水中コンクリートを除去する方法であって、
海上作業船を使用して、水中コンクリート上に架構台を設置し、
水平調整用ジャッキを操作して、架構台の水平調整を行い、
架構台頂部の移動台車を移動させながら、水中台車のウォータージェットカッターを作動させ、水中コンクリートを切断し除去し、
海上作業船を使用して、架構台を次の除去現場に移動することを特徴とする、
水中コンクリートの除去方法。
【発明の詳細な説明】
【０００１】
【発明の属する技術分野】
本発明は水中コンクリートの除去装置及び除去方法に関する。
【０００２】
【従来の技術】
水中コンクリートを除去する場合、潜水夫が水中に潜り、たとえばワイヤーソー等を使用して水中コンクリートを切断し、その後重機械等により切断したコンクリート片を除去する方法が行われていた。
【０００３】
しかし前記従来の方法によると、使用機械の防水処理や機械の据付作業及びコンクリートの切断作業が困難なため作業効率が悪く工期が遅延したり、工事費が割高となっていた。
【０００４】
【発明が解決しようとする課題】
本発明は前記問題点を解決するため、潜水夫による水中作業を極力少なくし、効率的で安全な水中コンクリートの除去装置及び除去方法を提供することを目的とする。
【０００５】
【課題を解決するための手段】
第一の発明は、水中に打設されている鉄筋コンクリート床版を切断撤去するための、水中コンクリートの除去装置であって、頂部が水面上に位置するように高さ設定し、底部に水平調整用ジャッキを備え、頂部及び下部にレールを設置した架構台と、架構台下部を鉄筋コンクリート床版に固定するアンカーと、架構台頂部に設置したレール上を移動する移動台車と、架構台下部に設置したレール上を移動する水中台車と、を連結材により連結し、移動台車には水平移動するための駆動モーターと移動用チェーンとを設け、移動台車の移動により水中台車も同時に移動し、水中台車にはウォータージェットカッターを備えたことを特徴とする、水中コンクリートの除去装置である。
第二の発明は、第一の発明に記載の水中コンクリートの除去装置を使用して水中コンクリートを除去する方法であって、海上作業船を使用して、水中コンクリート上に架構台を設置し、水平調整用ジャッキを操作して、架構台の水平調整を行い、架構台頂部の移動台車を移動させながら、水中台車のウォータージェットカッターを作動させ、水中コンクリートを切断し除去し、海上作業船を使用して、架構台を次の除去現場に移動することを特徴とする、水中コンクリートの除去方法である。
【０００６】
【発明の実施の形態】
以下図面を参照しながら、本発明の実施形態について説明する。
【０００７】
＜イ＞全体構成
図１は、本発明による水中コンクリートの除去装置の正面図であり、図２はその側面図である。
水中コンクリートの除去装置１は、底部に水平調整用ジャッキ２を備え、頂部は水面上に位置するように形成した架構台３と、架構台３頂部を移動する移動台車４と架構台３下部を移動する水中台車５とを連結材６により連結し、水中台車５にはウォータージェットカッター７を備えた除去装置１である。
【０００８】
＜ロ＞架構台
架構台３は除去装置１の操作範囲を限定する枠台であり、たとえばＨ形鋼等を使用して形成する。
架構台３の高さは使用する現場の水深等に対応して決定し、幅や長さは現場状況及び段取り替え等の作業効率を考慮して決定する。
架構台３の頂部及び下部には、後述の移動台車４及び水中台車５が水平移動するためのレール８を設置し、架構台３の底部には水平調整用ジャッキ２を所定箇所に固定して、架構台３の水平調整や水深（高さ）調整が行える構造とする。
架構台３には必要により斜材３ａを設ける。
【０００９】
＜ハ＞移動台車、水中台車
移動台車４と水中台車５とは架構台３の頂部及び下部に設置されたレール８上を走行して水平移動する台車である。
移動台車４と水中台車５の底面に走行車輪１０を設置し、走行車輪１０の側面にガイド車輪１１が取付けてある。
移動台車４と水中台車５はＨ形鋼等を使用した連結材６により連結する。
連結材６には必要によりブレース材９を取付ける。
移動台車４には水平移動するための駆動モーター１２、移動用チェーン１３を設け、移動台車４の移動により水中台車５も同時に移動できる構造としている。
【００１０】
水中台車５上には複数のクロステーブル１４を設置し、クロステーブル１４と移動台車４間に送水管１５が配置されている。
本実施形態においては水中台車５にクロステーブル１４及びウォータジェットカッター７をそれぞれ２基設置し、水中に打設されている鉄筋コンクリート床版１６の切断撤去すべき幅に合わせて設置している。
本実施形態においては、鋼矢板打設に支障となる部分だけの鉄筋コンクリート床版１６を切断撤去するため幅は約７０ｃｍに合わせて設置している。
送水管１５は図示していない超高圧水発生装置に接続され圧力水を供給する。
クロステーブル１４の下方には、複数のウォータージェットカッター７が装着してあり、送水管１５から供給される圧力水を鉄筋コンクリート床版１６に噴射し切断できる構成としている。
【００１１】
【作用】
以下に、本発明の作用を説明する。
【００１２】
＜イ＞架構台の設置
重機械等を搭載した海上作業船を使用して、水中に打設されている撤去すべき鉄筋コンクリート床版１６上に、架構台３を設置する。
架構台３は予め水深調査を行い必要高さに加工されているため、その頂部は水面上に位置している。
架構台３を設置後、潜水夫により水平調整用ジャッキ２を操作し、架構台３の水平調整作業を行う。
水平調整作業が終了後、架構台３の下部をアンカー１５により鉄筋コンクリート床版１６に固定する。
【００１３】
＜ロ＞水中コンクリート切断用機器類の準備
架構台３の近くに別の台船を浮かべ、水中コンクリートを切断するために必要な機器類、たとえば水槽、超高圧水発生装置、研磨材供給装置、制御装置等を搭載する。（図示せず）
【００１４】
＜ハ＞水中コンクリートの切断作業
送水管１５に圧力水を供給し、ウォータジェットカッター７を操作して鉄筋コンクリート床版１６を切断する。
【００１５】
＜ニ＞移動台車の操作
切断作業の進行に伴い、移動台車４を操作して水中台車５も同時に水平移動させ、切断位置を移動し作業を継続する。
本実施形態においては水中台車５にクロステーブル１４及びウォータジェットカッター７を２基設置しているため、同時に２本の切断線ができることになる。
クロステーブル１４及びウォータジェットカッター７の操作により、先に切断した切断線とは別に、直交する切断線を入れることができる。
【００１６】
＜ホ＞架構台の移動
架構台３は作業の効率性及び経済性を考慮して製作されているため、現場状況に応じて架構台３を移動させる。
移動の際は設置作業と同様に、重機械等を搭載した海上作業船を使用して次の作業場所へ移動させる。
【００１７】
＜ヘ＞コンクリート片の撤去
架構台３が移動後、小さなブロック状に切断されたコンクリート片を、海上作業船を使用して除去し、陸上運搬又は海上運搬等任意の手段で運搬する。
【００１８】
【発明の効果】
本発明は以上説明したようになるから、次のような効果を得ることができる。
＜イ＞架構台上に設置した移動台車の操作により水中台車も同時に水平移動する構造としたので、潜水夫の作業量を減少し、効率的、経済的な工事を行うことができる。
＜ロ＞水中台車にコンクリート切断機を設置する構造としたので、切断機の設置作業及び切断作業が容易に行える。
【図面の簡単な説明】
【図１】本発明による水中コンクリートの除去装置の正面図。
【図２】同上側面図。
【図１】
0004388632.tif 000002
【図２】
0004388632.tif 000003